(57)【要約】【課題】片口金放電灯の口金部をソケットへ簡単に挿着することができる片口金式照明器具を提供する。【解決手段】片口金放電灯１と、片口金放電灯１が接続されるソケット２と、片口金放電灯１の周りを覆うフード３とを備え、片口金放電灯１のベース部１２の外周面とフード３の内周面とにはそれぞれ位置合わせ用の目印としての凸部１２ａ，３ｄが形成され、これらの凸部１２ａ，３ｄの位置がソケット２の凹部２ｃに設けられた切り溝２ａの形成位置に対応させて配設されている。【選択図】図１
2008140568.tif 000002
【特許請求の範囲】
【請求項１】
片口金放電灯と、この片口金放電灯が接続されるソケットと、前記片口金放電灯の周りを覆うフードとを備え、前記片口金放電灯は、放電管と、この放電管の端部が収容されるベース部と、このベース部の放電管との対向側に設置された口金部と、この口金部から突出された端子部とを有し、前記口金部には、前記ソケットへの挿入位置を規制する係合突起部が形成される一方、前記ソケットには、前記口金部が嵌合される凹部が形成され、この凹部内に前記端子部と電気的に接続される給電端子と、前記係合突起部が挿着される切り溝とが設けられた片口金式照明器具であって、前記フードの内周面と前記ベース部の外周面にはそれぞれ位置合わせ用の目印が形成され、これらの目印の位置が前記ソケットの切り溝の形成位置に対応させて配設されていることを特徴とする片口金式照明器具。
【請求項２】
前記フードの内周面の前記目印が付されている近傍が鏡面に形成されていることを特徴とする請求項１に記載の片口金式照明器具。
【請求項３】
前記各目印は、各面から隆起して立体的に形成されていることを特徴とする請求項１または請求項２に記載の片口金式照明器具。
【発明の詳細な説明】
【技術分野】
【０００１】
本発明は、片口金放電灯の口金部をソケットに嵌め込んで僅かに回転させることによりソケットに機械的、電気的に接続される構成を有する片口金式照明器具に関するものである。
【背景技術】
【０００２】
従来の片口金式照明器具として、片口金放電灯と、天井等に取り付けられたソケットとを備え、片口金放電灯の口金部をソケットに嵌め込んで僅かに回転させることにより、片口金放電灯がソケットに機械的に固定される同時に、電気的にも接続されるようにした構成ものがある（例えば、特許文献１参照）。以下、この種の構成のものをロック式と称する。
【０００３】
この従来のロック式の片口金式照明器具は、通常の電球のように、螺旋ねじ状に形成された口金部をソケットにねじ込んで固定する、いわゆるねじ式のものに比べると、片口金放電灯のソケットへの取り付けを簡単に行えるという利点がある。
【特許文献１】特開２００５−２８５５０８号公報
【発明の開示】
【発明が解決しようとする課題】
【０００４】
上記の特許文献１に記載されているような従来のロック式の片口金式照明器具は、天井内に埋め込んで使用されることがあるが、この場合、片口金放電灯の光が室内に効率良く照射されるように、片口金放電灯を覆うフードを設け、このフード内に片口金放電灯を収納した状態で天井に埋め込む構成が採用される。しかも、フードの内径は天井側から室内側に向かうにつれて次第に拡径されるような笠形に形成されることが多い。
【０００５】
ところで、ロック式の片口金式照明器具において、フード内で片口金放電灯をソケットに接続する場合、片口金放電灯の口金部をソケットに嵌め込む必要があるが、片口金放電灯の放電管や、放電管と口金部とを連結するベース部の外径が口金部の外径よりも大きい場合には、放電管やベース部が視野の妨げとなって口金部とソケットとの位置関係を目視で把握することが難しい。
【０００６】
このため、従来は、目視だけに頼らず、例えば指先で片口金放電灯の口金部とソケットとの位置関係を把握して挿入するようにしているが、上記のようにフードが笠形に形成されていて、フードの内径がソケットに向かうにつれて漸減していると、指先を口金部側へ十分に差し込むスペースを確保することができず、口金部とソケットとの位置関係を指先で認識することが困難となる。したがって、いずれにしても口金部をソケットへ簡単に挿着することが難しいという問題がある。
【０００７】
本発明は、上記背景技術に鑑みてなされたものであり、片口金放電灯の口金部とソケットとの位置関係を目視でもって容易に把握することができるようにして、口金部をソケットへ簡単に挿着することができる片口金式照明器具を提供することを課題とする。
【課題を解決するための手段】
【０００８】
上記課題を解決するために、請求項１記載の発明に係る片口金式照明器具は、片口金放電灯と、この片口金放電灯が接続されるソケットと、前記片口金放電灯の周りを覆うフードとを備え、前記片口金放電灯は、放電管と、この放電管の端部が収容されるベース部と、このベース部の放電管との対向側に設置された口金部と、この口金部から突出された端子部とを有し、前記口金部には、前記ソケットへの挿入位置を規制する係合突起部が形成される一方、前記ソケットには、前記口金部が嵌合される凹部が形成され、この凹部内に前記端子部と電気的に接続される給電端子と、前記係合突起部が挿着される切り溝とが設けられたものであって、さらに、前記フードの内周面と前記ベース部の外周面にはそれぞれ位置合わせ用の目印が形成され、これらの目印の位置が前記ソケットの切り溝の形成位置に対応させて配設されていることを特徴としている。
【０００９】
また、請求項２記載の発明に係る片口金式照明器具は、請求項１に記載の発明の構成において、前記フードの内周面の前記目印が付されている近傍が鏡面に形成されていることを特徴としている。
【００１０】
また、請求項３記載の発明に係る片口金式照明器具は、請求項１または請求項２に記載の発明の構成において、前記各目印は、各面から隆起して立体的に形成されていることを特徴としている。
【発明の効果】
【００１１】
請求項１記載の発明によれば、フードの内周面とベース部の外周面にはそれぞれ位置合わせ用の目印が形成され、これらの目印の位置がソケットの切り溝の形成位置に対応させて設けられているので、目視容易な箇所にある目印を位置合わせするだけで、片口金放電灯の口金部に形成された係合突起部をソケットの凹部に形成された切り溝に対して簡単に位置合わせを行うことができ、口金部のソケットへの挿着を簡単に実施することができる。
【００１２】
請求項２記載の発明によれば、フードの内周面の内、目印が付された近傍が鏡面であるので、ベース部の外周面に形成された目印を鏡面で反射させて視認することが可能となり、目視で口金部とソケットとの位置関係をさらに容易に把握することができ、口金部のソケットへの挿着を一層簡単に実施することができる。
【００１３】
請求項３記載の発明によれば、各目印がフード内周面やベース部の外周面からそれぞれ隆起して立体的に形成されているので、さらに簡単に目視で口金部とソケットとの位置関係を把握することができ、口金部のソケットへの挿着をさらに一層簡単に実施することができる。
【発明を実施するための最良の形態】
【００１４】
以下、本発明の実施の形態について、図面を参照して詳しく説明する。図１は本発明の実施の形態における片口金式照明器具の正面断面図、図２は同照明器具を構成する片口金放電灯とソケットを示す分解斜視図、図３は片口金放電灯を示す正面図、図４は片口金放電灯を口金部側から見た平面図、図５はソケットを底面側から見た平面図である。
【００１５】
この実施の形態のロック式の片口金式照明器具は、天井埋込形のもので、片口金放電灯１と、この片口金放電灯１が接続されるソケット２と、片口金放電灯の周りを覆うフード３とを備える。そして、ソケット２とフード３とは、図示しない取り付け部材によって一体的に配置固定されるとともに、ソケット２には図示しない点灯回路が接続されている。
【００１６】
ここに、片口金放電灯１は、二重螺旋式の放電管１１と、この放電管１１の端部が収容されるベース部１２と、このベース部１２の放電管１１の一端を収容する側と反対側に設けられた口金部１３と、この口金部１３から突出された４つの端子部１４とで構成されている。
【００１７】
この場合、放電管１１は、ベース部１２との取り付け側と反対側の端部から見ると時計回りに巻回されている。なお、この放電管１１自体の構成は、例えば特開２００３−１７３７６０号公報に記載されているような公知のものである。
【００１８】
また、ベース部１２は、外観が略円柱状のＰＥＴ樹脂の成形体であり、外部に露出する面全体にアルミニウムを蒸着した皮膜が設けられている。また、ベース部１２の内部には放電管１１の図示しない端部電極が収容されて固定され、この端部電極から引出される図示しないリード線がベース部１２および口金部１３を通して端子部１４に電気的に接続されている。
【００１９】
そして、図４に示すように、ベース部１２の外周面の上端には平面視で略四角状をした一対の凸部１２ａが相対向して形成されている。これらの凸部１２ａは後述するフード３のつば部３ｃに設けられた凸部３ｄと位置合わせする際の目印として機能する。
【００２０】
口金部１３は、図４に示すように、ベース部１２と一体成形されていて外観が略直方体状をしており、その左右前後の外形寸法はベース部１２の外径寸法よりも小さな形状となっている。そして、この口金部１３には、その中央にソケット２の給電端子１７と電気的に接続される端子部１４が突出されている。また、口金部１３の外周部には、ソケット２への挿入位置を規制する一対の係合突起部１３ａと、ソケット２への挿入時に挿入位置をガイドする一対の切欠部１３ｂとがそれぞれ形成されている。
【００２１】
この場合、各係合突起部１３ａの形成位置は、ベース部１２に形成されている目印としての凸部１２ａの形成位置に対応させて形成されている。すなわち、両係合突起部１３ａは、両凸部１２ａ間を結ぶ同一線上に位置するように形成されている。
【００２２】
一方、ソケット２は、図５に示すように、外観が略直方体状のＰＥＴ樹脂の成形体であり、その内部には口金部１３が嵌合される凹部２ｃが形成され、この凹部２ｃ内には、その中央底部に各端子部１４が挿入されて電気的に接続される給電端子１７が設けられ、また、凹部２ｃの内周壁には口金部１３の係合突起部１３ａが挿着される２つの切り溝２ａと、口金部１３の一対の切欠部１３ｂに係合する２つの凸片部２ｂとがそれぞれ形成されている。この場合、上記の各切り溝２ａは、凹部２ｃの開口端側から深さ方向に沿って延設された後、凹部２ｃの底面側において時計回り方向に僅かに周回される形状に形成されている。
【００２３】
フード３は、外形が略鼓状に形成されるとともに、その軸心方向の両端が開口されたＰＢＴ樹脂製の薄肉の成形体として形成されている。したがって、このフード３は、両開口端３ａ，３ｂの途中の放電管１１とベース部１２との接続箇所に略対応する位置が最小径箇所となっている。
【００２４】
そして、この最小径箇所の内周面には、径方向内方に向けて幅５ｍｍ程度に張り出したリング状のつば部３ｃが形成されており、このつば部３ｃにベース部１２の凸部１２ａと位置合わせするための目印となる平面視で略三角状をした一対の凸部３ｄが径方向内方に向けて突出形成されている。
【００２５】
この場合、各凸部３ｄの形成位置は、ソケット２に形成されている切り溝２ａの形成位置に対応させて形成されている。すなわち、凸部３ｄはソケット２の切り溝２ａの形成箇所と同一線上に位置するように形成されている。
【００２６】
また、フード３の内周面の内、放電灯６に臨む内周面（つば部３ｃから室内側の開口端３ｂにわたる内周面）にはアルミ蒸着によって鏡面仕上げされた反射膜３ｅが形成されている。
【００２７】
上記構成の片口金式照明器具において、片口金放電灯１をフード３内に挿入してソケット２に取り付ける際には、片口金放電灯１のベース部１２の凸部１２ａとフード３の凸部３ｄとを目印として位置合わせをすれば、口金部１３の係合突起部１３ａの位置とソケット２の切り溝２ａの位置とが一致し、かつ、口金部１３の切欠部１３ｂの位置とソケット２の凸片部２ｂの位置とが一致することになる。
【００２８】
この場合、フード３の内周面において、位置合わせ用の目印としての凸部３ｄが形成された近傍は鏡面仕上げされた反射膜３ｅが形成されているので、フード３の内周面から隆起して立体的に形成された凸部３ｄが反射膜３ｅで反射されて視認できるとともに、片口金放電灯１をフード３内に挿入した際に、ベース部１２の外周面に形成された目印としての凸部１２ａも反射膜３ｅで反射されて視認することができる。このため、目視で口金部１３とソケット２との位置関係を容易に把握することができる。
【００２９】
そこで、口金部１３とソケット２との位置関係を確認した上で、片口金放電灯１の口金部１３をソケット２に押し付けると、口金部１３の係合突起部１３ａがソケット２の切り溝２ａ内に挿入されるとともに、口金部１３の切欠部１３ｂにソケット２の凸片部２ｂが係合し、さらに、端子部１４が給電端子１７に挿入される。そして、口金部１３がソケット２の凹部２ｃの最奥に位置した段階で片口金放電灯１を時計方向に回すことで、係合突起部１３ａが切り溝２ａに沿って回動し、片口金放電灯１がソケット２に確実に固定される。
【００３０】
なお、上記の実施の形態では、片口金放電灯１のベース部１２の外周部の上端に目印としての凸部１２ａを、フード３のつば部３ｃに目印としての凸部３ｄをそれぞれ形成しているが、目視可能な位置であれば、ベース部１２とフード３の他の箇所に凸部１２ａ，３ｄを形成することも可能である。
【図面の簡単な説明】
【００３１】
【図１】本発明の実施の形態における片口金式照明器具の正面断面図である。
【図２】同照明器具を構成する片口金放電灯とソケットを示す分解斜視図である。
【図３】片口金放電灯を示す正面図である。
【図４】片口金放電灯を口金部側から見た平面図である。
【図５】ソケットを底面側から見た平面図である。
【符号の説明】
【００３２】
１…片口金放電灯
２…ソケット
２ａ…切り溝
２ｂ…凸片部
２ｃ…凹部
３…フード
３ａ，３ｂ…開口端
３ｃ…つば部
３ｄ…凸部（目印）
３ｅ…反射膜
１１…放電管
１２…ベース部
１２ａ…凸部（目印）
１３…口金部
１３ａ…係合突起部
１３ｂ…切欠部
１４…端子部
１７…給電端子
【図１】
2008140568.tif 000003
【図２】
2008140568.tif 000004
【図３】
2008140568.tif 000005
【図４】
2008140568.tif 000006
【図５】
2008140568.tif 000007